(57)【要約】      （修正有）【課題】設置及び取り外しを円滑に行うことができ、定規部材や全ネジボルトの損傷を防止することができるコンクリート打設装置を提供する。【解決手段】起立する全ネジボルト３と、コンクリート打設端部を規定する定規部材２と、全ネジボルト３に螺着状態で支持され、全ネジボルト３との相対的な回転に応じて全ネジボルト３の高さ方向に移動する移動部材４と、定規部材２に移動部材４を解除自在に連結する連結手段６とを備える。【選択図】図１
0003235453.tif 000002
【実用新案登録請求の範囲】
【請求項１】
棒状の外周面の全長にわたりネジ部が形成された全ネジボルトと、
コンクリート打設端部を規定する定規部材と、
前記全ネジボルトに螺着状態で支持され、該全ネジボルトとの相対的な回転に応じて該全ネジボルトの高さ方向に移動する移動部材と、
前記定規部材に起立姿勢の前記全ネジボルトに支持された前記移動部材を解除自在に連結する連結手段とを備えることを特徴とするコンクリート打設装置。
【請求項２】
前記全ネジボルトにおける前記移動部材の下方位置に装着して該全ネジボルトを覆う管状の被覆部材を設けたことを特徴とする請求項１記載のコンクリート打設装置。
【請求項３】
前記全ネジボルトの上端部に外周が六角形状のボルト頭部を設けたことを特徴とする請求項１又は２記載のコンクリート打設装置。
【請求項４】
前記全ネジボルトは、上部側に形成された第１ネジ部と、該第１ネジ部に対して逆ネジとなる第２ネジ部とを備え、該全ネジボルトの下端部に、前記第２ネジ部が螺入する雌ネジ部材を設けたことを特徴とする請求項１〜３の何れか１項記載のコンクリート打設装置。
【請求項５】
前記定規部材は、打設コンクリートの側面を形成する側板部と、該側板部の上端から水平方向に張出す上部張出し部と、該上部張出し部の下方に対向して前記側板部の下端から水平方向に張出す下部張出し部とを一体に備え、
前記連結手段は、前記定規部材の前記上部張出し部と前記下部張出し部との何れか一方に前記移動部材を連結することを特徴とする請求項１〜４の何れか１項記載のコンクリート打設装置。
【考案の詳細な説明】
【技術分野】
【０００１】
本考案は、段差又は溝を成す打設コンクリート面を形成する際に用いるコンクリート打設装置に関する。
【背景技術】
【０００２】
段差又は溝を成すコンクリート面を形成する際に、これらの段差又は溝の上段と下段のコンクリート打設面を容易かつ高精度に規定すると共に、この規定された部位に沿ってコンクリート均し作業を行うことによって上段と下段の打設コンクリートの端部を形成するようにしたコンクリート打設装置が知られている（例えば、下記特許文献１参照）。
【０００３】
このものは、コンクリート打設面の上段と下段を規定する定規部材と、棒状の起立する全ネジボルトと、全ネジボルトの下端部を螺入する台座とを備えている。全ネジボルトは、比較的長尺に形成されていて全長にわたりネジが形成されている。定規部材には、長手方向に沿って所定間隔を存して複数の孔部が予め形成されている。この各孔部に、全ネジボルトを螺通し、全ネジボルトの下端を螺入した台座をコンクリートを打設すべき箇所に固定する。
【０００４】
全ネジボルトの上端には、平状突出部が形成されており、平状突出部を工具を介して把持して回動させることにより、定規部材の高低位置及び水平度合い調整することができるようになっている。
【先行技術文献】
【特許文献】
【０００５】
【特許文献１】特開平１０−２６６５６７
【考案の概要】
【考案が解決しようとする課題】
【０００６】
しかし、上記従来のものでは、定規部材に予め形成されている孔部に全ネジボルトを螺通させるため、定規部材に対する全ネジボルトの螺通位置を移動させることができない。このため、コンクリートに埋め込む骨材等に全ネジボルトが干渉して、定規部材の位置調整が円滑に行えない不都合があった。
【０００７】
また、コンクリートの打設後に定規部材や全ネジボルトを取り外す際においては、定規部材と全ネジボルトとを同時に取り外す必要があるため、定規部材や全ネジボルトに無理な力が付与されて変形することがあり、万一、定規部材や全ネジボルトが損傷してしまった場合には、再利用できなくなる不都合があった。
【０００８】
上記の点に鑑み、本考案は、コンクリート打設面を高精度に規定することができ、定規部材の位置調整を容易とし、更に、設置及び取り外しを円滑に行うことができるえて定規部材や全ネジボルトの損傷を防止することができるコンクリート打設装置を提供することを目的とする。
【課題を解決するための手段】
【０００９】
かかる目的を達成するために、本考案のコンクリート打設装置は、棒状の外周面の全長にわたりネジ部が形成された全ネジボルトと、コンクリート打設端部を規定する定規部材と、前記全ネジボルトに螺着状態で支持され、該全ネジボルトとの相対的な回転に応じて該全ネジボルトの高さ方向に移動する移動部材と、前記定規部材に起立姿勢の前記全ネジボルトに支持された前記移動部材を解除自在に連結する連結手段とを備えることを特徴とする。
【００１０】
本考案によれば、前記連結手段によって定規部材と全ネジボルトの移動部材とが解除自在に連結されるので、定規部材に対して所望の位置に全ネジボルトを連結することができる。これによって、全ネジボルトを最適位置に設けて定規部材を支持することができる。
【００１１】
しかも、取り外す際には、連結手段による定規部材と全ネジボルトの移動部材との連結を解除することにより、定規部材と全ネジボルトと夫々個別に取り外すことができ、定規部材や全ネジボルトの損傷を防止して取り外しを円滑に行うことができる。
【００１２】
また、本考案のコンクリート打設装置においては、前記全ネジボルトにおける前記移動部材の下方位置に装着して該全ネジボルトを覆う管状の被覆部材を設けたことを特徴とする。
【００１３】
本考案の全ネジボルトにおいては、コンクリートに埋没する部分を管状の被覆部材で覆うことにより、全ネジボルトへのコンクリートの付着を防止することができる。これにより、打設後のコンクリートから全ネジボルトを容易に離脱させることができる。
【００１４】
なお、全ネジボルトを引き抜いた後には被覆部材も打設後のコンクリートから引き抜くことが可能となる。この場合、例えば、被覆部材として比較的柔軟性を有する合成樹脂製の管体を用いることで、打設後のコンクリートからの引き抜きが一層容易となる。
【００１５】
また、本考案のコンクリート打設装置においては、前記全ネジボルトの上端部に外周が六角形状のボルト頭部を設けたことを特徴とする。
【００１６】
これによれば、スパナやボックスレンチ等の回転工具を用いて全ネジボルトを容易に回転させることができ、定規部材の位置調整や取り外し作業を円滑に行うことができる。
【００１７】
また、本考案のコンクリート打設装置において、前記全ネジボルトは、上部側に形成された第１ネジ部と、該第１ネジ部に対して逆ネジとなる第２ネジ部とを備え、該全ネジボルトの下端部に、前記第２ネジ部が螺入する雌ネジ部材を設けたことを特徴とする。
【００１８】
全ネジボルトが第１ネジ部と、逆ネジの第２ネジ部とを備えることにより、全ネジボルトの回動による定規部材の位置調整（高さ調整、水平度調整）を迅速に行うことができ、作業効率が向上する。
【００１９】
また、本考案のコンクリート打設装置において、前記定規部材は、打設コンクリートの側面を形成する側板部と、該側板部の上端から水平方向に張出す上部張出し部と、該上部張出し部の下方に対向して前記側板部の下端から水平方向に張出す下部張出し部とを一体に備え、前記連結手段は、前記定規部材の前記上部張出し部と前記下部張出し部との何れか一方に前記移動部材を連結することを特徴とする。
【００２０】
定規部材の側板部と上部張出し部と下部張出し部とを一体化することで、定規部材自体の部品点数を削減してコストを低減させることができるだけでなく、連結手段による連結を選択的に行うことができて自由度が向上し、しかも、定規部材を高精度に設置することができる。
【００２１】
なお、定規部材の上部張出し部に移動部材を連結するときには、上部張出し部と移動部材とを連結手段で連結する。一方、定規部材の下部張出し部に移動部材を連結するときには、下部張出し部がコンクリートの下段を規定するため、下部張出し部の上面に予め連結部を固設しておき、この連結部と移動部材とを連結手段で連結する。
【図面の簡単な説明】
【００２２】
【図１】コンクリート打設装置の要部を示す説明的側面図。
【図２】コンクリート打設装置の要部の説明的断面図。
【図３】コンクリート打設装置の一部の説明的平面図。
【図４】定規部材の変形例の要部を示す説明的断面図。
【図５】定規部材の変形例の一部を示す説明的平面図。
【考案を実施するための形態】
【００２３】
本考案の一実施形態を図面に基づいて説明する。図１〜図３に示すように、本実施形態のコンクリート打設装置１は、定規部材２と、全ネジボルト３と、移動板４（移動部材）と、下部ナット５と、クランプ６と、保護チューブ７とを備えている。
【００２４】
定規部材２は、幅方向を高さ方向として横方向に延びる側板部２１を備えている。側板部２１の上端には、水平方向に張出す上部張出し部２２が設けられている。側板部２１の下端には、水平方向に張出す下部張出し部２３が設けられている。
【００２５】
側板部２１と上部張出し部２２と下部張出し部２３とは金属板により一体に形成されているため、部品点数が少なくコストを低く抑えることができ、また、強度や精度においても有利である。
【００２６】
定規部材２は、その全体は枠体を形成しており、コンクリート段差形成において、側板部２１が段差の垂直面を規定し、上部張出し部２２がコンクリートの上段の打設面ａを規定し、下部張出し部２３がコンクリートの下段の打設面ｂを規定する。
【００２７】
なお、図１〜図３においては、定規部材２の一部を示しているため、定規部材２全体の平面視形状は示していないが、定規部材２全体の平面視形状は、コンクリート打設時の段差形成位置に沿った大きさと形状を有しており、設置場所に応じた適宜形状（その形状は多岐にわたるため図示省略するが、例えば、矩形枠形状や円形枠形状等）のものが採用される。
【００２８】
全ネジボルト３は、棒状に形成されて上下方向が長手となるように起立して設けられ、上端部には、外周が六角形状のボルト頭部３１を備えている。全ネジボルト３のボルト頭部３１を除く上部から下方に向かう所定の領域の外周面には、上部ネジ３２（第１ネジ部）が形成されている。
【００２９】
更に、全ネジボルト３の下端から上部ネジ３２までの領域の外周面には、下部ネジ３３（第２ネジ部）が形成されている。上部ネジ３２と下部ネジ３３とは、互いに逆ネジとなるように形成されている。
【００３０】
全ネジボルト３の上部ネジ３２が形成された領域には移動板４が支持されており、全ネジボルト３の下部ネジ３３が形成されている下端部には、下部ナット５が螺着されている。移動板４は、本考案における移動部材に相当し、下部ナット５は、本考案における雌ネジ部材に相当する。
【００３１】
移動板４は、全ネジボルト３が貫通する貫通孔４１を備えている。貫通孔４１に合致する位置には、全ネジボルト３の上部ネジ３２が螺合する上部ナット４２が固設されている。移動板４に上部ナット４２を設けることにより、移動板４の厚み寸法が比較的小さくても、移動板４に対する全ネジボルト３の上部ネジ３２の螺入強度を確保することができる。
【００３２】
なお、本考案の移動部材は、板状に限るものでなく、図示しないが、ブロック状に形成されているものを採用してもよい。この場合には、移動部材の厚み寸法が十分に大きいために、上部ナット４２を設けることなく貫通孔４１の内周面に全ネジボルト３の上部ネジ３２が螺合する雌ネジを形成することができる。
【００３３】
そして、上記構成による全ネジボルト３は、その上端に設けられているボルト頭部３１にスパナやボックスレンチ等を係合して回動させることができる。
【００３４】
下部ナット５は、ある程度の長さを有するものが採用されており、全ネジボルト３の下部ネジ３３を螺通した際の調整深さを長くとるようにしてある。下部ナット５の下端は、全ネジボルト３の起立位置の床面に当接する。
【００３５】
クランプ６は、本考案の連結手段に相当するものであり、本実施形態においては、互いに対向する２つのアーム部６１，６２と、一方のアーム部６１に螺通された進退ロッド６３と、他方のアーム部６２に設けられた受け部６４とを備える、所謂Ｃ型クランプが採用されている。クランプ６は、定規部材２の上部張出し部２２と移動板４とを重合させた状態で進退ロッド６３と受け部６４とで上下から挟持して固定する。
【００３６】
また、全ネジボルト３には、本考案における被覆部材に相当する保護チューブ７が装着されている。保護チューブ７は、移動板４よりも下方に設けられ、全ネジボルト３へのコンクリートの付着を防止する。保護チューブ７としては、柔軟性を有する材料で形成されていることが好ましいく、例えば、所定の長さに切断された合成樹脂製のホースを採用することができる。
【００３７】
保護チューブ７によって全ネジボルト３とコンクリートとが接触しないので、打設後のコンクリートからの全ネジボルト３の抜き取り作業が容易となる。更に、全ネジボルト３が抜き取られた保護チューブ７も固化したコンクリートから容易に引き抜くことができる。
【００３８】
上記の構成による本実施形態のコンクリート打設装置１は、定規部材２の複数箇所に所定間隔を存して全ネジボルト３を連結して全ネジボルト３に保護チューブ７を装着し、更に、下部ネジ３３に下部ナット５を螺着してコンクリート打設面底部上に立設する。これにより、定規部材２が横方向に敷設される。
【００３９】
定規部材２と全ネジボルト３とは、互いに重合する上部張出し部２２と移動板４とを介してクランプ６により連結されている。これにより、例えば、コンクリート打設面底部上の鉄筋等に全ネジボルト３が干渉する場合には、クランプ６による連結を一旦解除して全ネジボルト３の立設位置を変更することができる。
【００４０】
そして、上段と下段のコンクリート打設面ａ，ｂの高低や水平度を調節する場合には、全ネジボルト３の上端に設けたボルト頭部３１にスパナやボックスレンチ等の工具を係合して全ネジボルト３を回動させる。
【００４１】
全ネジボルト３は、その逆ネジが作用して回動方向に応じて移動板４の位置が上下の何れかに移動し、これに追従して定規部材２の高さ位置が移動する。これにより、定規部材２を容易に所望の位置に合わせることができ、上段と下段のコンクリート打設面ａ，ｂの高低や水平度を容易に調節することができる。
【００４２】
また、コンクリートの打設後にコンクリート打設装置１を除去するときには、先ず、クランプ６による連結を解除して定規部材２と全ネジボルト３とを分離させる。次いで、全ネジボルト３を抜き取り、定規部材２を取り除き、その後、保護チューブ７を引き抜いて除去する。
【００４３】
このように、定規部材２と全ネジボルト３とを別々に取り除くことができるので、例えば、コンクリートの打設によって万一定規部材２又は全ネジボルト３に歪みが生じていても、互いに影響されることがなく、損傷を少なくして円滑に除去することができる。
【００４４】
更に、全ネジボルト３には保護チューブ７が装着されているので、全ネジボルト３へのコンクリートの付着が防止され、全ネジボルト３の除去作業が容易となるだけでなく、全ネジボルト３の再利用も可能となる。
【００４５】
なお、本実施形態においては、互いに重合させた上部張出し部２２と移動板４とをクランプ６により連結した例を示した。これ以外に、図４及び図５に変形例を示すように、定規部材８の下部張出し部に相当する底板部８３の上面に連結部１０を設けることで、定規部材８と全ネジボルト３とを連結することができる。
【００４６】
即ち、定規部材８はコンクリート溝の打設面を規定する有底の枠体であり、側板部８１と、底板部８３とを備えている。連結部１０の近傍における底板部８３には、貫通孔８４が形成されている。この貫通孔８４には、保護チューブ７と全ネジボルト３とが挿通される。
【００４７】
そして、全ネジボルト３における定規部材８の底板部８３の上方に突出する部分に移動板４を支持させ、移動板４と連結部１０とをクランプ６により連結する。こうすることにより、有底の定規部材８であっても全ネジボルト３を容易に連結することができる。
【００４８】
また、図示しないが、側板部と下部張出し部とで構成された断面Ｌ字状の定規部材であっても、上述の連結部１０と同様の連結部を下部張出し部の上面に設けることにより、クランプ６等の連結手段を用いて定規部材と全ネジボルト３とを連結することができる。
【００４９】
また、本実施形態においては、本考案の連結手段に相当するものとしてクランプ６（所謂Ｃ型クランプ）を採用したが、これに限るものではなく、解除自在に連結することができる機構を備えるものであれば、本考案の連結手段として採用することができる。
【符号の説明】
【００５０】
１…コンクリート打設装置、２，８…定規部材、３…全ネジボルト、４…移動板（移動部材）、５…下部ナット（雌ネジ部材）、６…クランプ（連結手段）、７…保護チューブ（被覆部材）、２１…側板部、２２…上部張出し部、２３…下部張出し部、３１…ボルト頭部、３２…上ネジ（第１ネジ部）、３３…下ネジ（第２ネジ部）、８３…底板部（下部張出し部）。
【図１】
0003235453.tif 000003
【図２】
0003235453.tif 000004
【図３】
0003235453.tif 000005
【図４】
0003235453.tif 000006
【図５】
0003235453.tif 000007